(57)【要約】【課題】コピー、ＦＡＸ受信プリント、ＰＣプリントの禁止設定を自装置に個別になし得る原稿読取記録装置を提供する。【解決手段】操作部５の禁止設定キー５ａを操作して、表示部６にコピー、ＦＡＸ受信プリント、ＰＣプリントの禁止設定テーブルを表示し、テンキー５ｃを操作して、コピー、ＦＡＸ受信プリント、ＰＣプリントのそれぞれにつき、禁止の有無を入力設定し、ＲＡＭ９の禁止設定メモリ９ａに登録しておく。画像読取部４で読み取った原稿をコピーする場合、回線１５、ＮＣＵ２、ＭＯＤＥＭ３を介してＦＡＸ受信したデータをプリントする場合、あるいは外部ＰＣ１４よりのデータをＬＡＮＩ／Ｆ７より受信してプリントする場合、禁止設定メモリ９ａで禁止の設定がなされておれば、コピーあるいはプリントを実行せず、禁止の設定がなされていない場合に、処理を実行する。【選択図】　　　図１
2004088274.tif 000002
【特許請求の範囲】
【請求項１】
原稿読取部と、外部の通信装置と接続する通信回線接続部と、外部のコンピュータと接続する外部コンピュータ接続部と、原稿読取部で読み取った原稿のコピー、通信回線接続部より受信した画像の受信プリント、及び外部コンピュータからのデータをプリントが可能な画像記録部と、前記コピー、前記受信プリント、前記外部コンピュータからのデータプリントについて各々禁止設定が可能な制御部と、を備えたことを特徴とする原稿読取記録装置。
【請求項２】
原稿読取部と、外部の通信装置と接続する通信回線接続部と、原稿読取部で読み取った原稿のコピー、通信回線接続部より受信した画像の受信プリントが可能な画像記録部と、前記コピー、前記受信プリントについて各々禁止設定が可能な制御部と、を備えたことを特徴とする原稿読取記録装置。
【請求項３】
原稿読取部と、外部の通信装置と接続する通信回線接続部と、外部のコンピュータと接続する外部コンピュータ接続部と、原稿読取部で読み取った原稿のコピー、通信回線接続部より受信した画像の受信プリント、及び外部コンピュータからのデータをプリントが可能な画像記録部と、前記コピー、前記外部コンピュータからのデータプリントについて各々禁止設定が可能な制御部と、を備えたことを特徴とする原稿読取記録装置。
【発明の詳細な説明】
【０００１】
【発明の属する技術分野】
この発明は、ファックス機能、コピー機能、ＰＣプリント機能などの多機能を有する複合機等の原稿読取記録装置に関する。
【０００２】
【従来の技術】
よく知られた複合機は、原稿読取部で読み取った原稿をコピーし、送信されて来たＦＡＸ受信原稿をプリントし、更に外部ＰＣ（パソコン）からのデータをプリントすることが可能である。従来、この種の複合機においては、使用の態様から、無管理状態でコピーされるのを避けるために、コピーを禁止する設定をなし得るものがある。また、複合機の動作制御情報を管理サーバで記憶しておき、複合機がこの管理サーバにより管理された動作制御情報に基づいて、各アプリケーションの実行可否を制御するようにしたものが文献（特開２００２−１０８４７５）に開示されている。
【０００３】
【発明が解決しようとする課題】
上記した複合機では、コピーの禁止を設定できるが、使用の実際においては、コピーの禁止は、さほど必要ないが、外部ＰＣからのプリントは避けたい。また、ＦＡＸ受信のプリントを一時的に禁止したい場合もある。したがって、複合機において、コピー、ＦＡＸ受信プリント、ＰＣプリントの各々を個別に禁止の設定が出来れば便利である。更に、個別の禁止設定が可能であるとしても、上記文献に記載の技術のように、管理サーバによって設定されるのは、複合機を個々に所有し、使用するユーザにとっても使い勝手が悪いという問題がある。
【０００４】
この発明は上記問題点に着目してなされたものであって、コピー、ＦＡＸ受信プリント、ＰＣプリントの禁止設定を個別になし得、しかも自装置において行い得る原稿読取記録装置を提供することを目的としている。
【０００５】
【課題を解決するための手段】
この発明の原稿読取記録装置は、原稿読取部と、外部の通信装置と接続する通信回線接続部と、外部のコンピュータと接続する外部コンピュータ接続部と、原稿読取部で読み取った原稿のコピー、通信回線接続部より受信した画像の受信プリント、及び外部コンピュータからのデータをプリントが可能な画像記録部と、前記コピー、前記受信プリント、前記外部コンピュータからのデータプリント（ＰＣプリント）について各々禁止設定が可能な制御部と、を備えている。
【０００６】
この原稿読取記録装置では、原稿のコピー、ＦＡＸ受信のプリント、ＰＣプリントを各々個別に禁止設定できる。使用者は、設置使用環境に応じ、自在に禁止設定できるので、非常に便利である。
【０００７】
【発明の実施の形態】
以下、実施の形態により、この発明をさらに詳細に説明する。この発明の画像形成装置の一実施形態である複合機の構成例であるブロック図を図１に示す。この実施形態複合機は、ＣＰＵ１と、ＮＣＵ（網制御部）２と、ＭＯＤＥＭ３と、画像（原稿）読取部４と、操作部５と、表示部（ＬＣＤ）６と、ＬＡＮＩ／Ｆ７と、ＲＯＭ８と、ＲＡＭ９と、画像メモリ１０と、ＣＯＤＥＣ（符号化・復号化器）１１と、プリンタ（画像記録部）１２と、を備えている。
【０００８】
ＣＰＵ１は、ＲＯＭ８に書き込まれている制御プログラムに従い、ＲＡＭ９を作業領域として装置の全体制御を実行する。ＮＣＵ２は、主制御部１により制御されて、回線１５と当該複合機との接続を制御するとともに、通信相手の電話番号に応じたダイヤルパルスを送出する機能及び着信を検出する機能を有する。なお回線１５は、一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線１５に送出し、また逆に回線１５からＮＣＵ２を介して受信したアナログの音声信号をデジタル信号に復調する。
【０００９】
画像読取部４は、所定の読み取り線密度で原稿画像を光学的に読み取って画情報を得る。画像読取部４は、スキャナで得た画情報に対し、２値化、シェーディング補正等の画像処理を行う。操作部５は、禁止設定キー５ａ、コピースタートキー５ｂ、テンキー５ｃの他、ＦＡＸモード（通信モード）、コピーモード、スキャナモード等の複数のモードを切り替えるモード切替キー、ワンタッチキーなど、各種の操作キーを有する。
【００１０】
表示部６は、操作部５のキー操作により入力された電話番号、ＦＡＸ番号等を表示する。ＬＡＮＩ／Ｆ７は、装置をＬＡＮ１３に接続するためのものである。このＬＡＮＩ／Ｆ７を介して、外部のＰＣ１４に接続されている。
【００１１】
ＲＯＭ８は、この複合機全体の動作を制御するためのプログラム等を予め格納してある。ＲＡＭ９は、ＣＰＵ１による制御に必要なデータ及び制御動作時に一時記憶が必要なデータ等を記憶する。また、ＲＡＭ９は禁止設定メモリ９ａを有する。画像メモリ１０は、画像読取部４で読み取った原稿の画情報をメモリ送信するために一時的に蓄積したり、受信した画情報をプリンタ１２により記録するまで一時的に蓄積する。
【００１２】
ＣＯＤＥＣ１１は、送信画像データをＧ３ファクシミリに適合する符号化方式（ＭＨ、ＭＲ、ＭＭＲ等）で符号化圧縮し、また受信画像データを所定の復号化方式で復号伸張する。プリンタ１２は、ＦＡＸの受信画データのプリント、画像読取部４が読み取った原稿の画情報のコピー、また外部ＰＣ１４より依頼されたデータをプリントする。もっとも、これらのプリントは後述する禁止設定がなされていると実行されない。
【００１３】
禁止設定メモリ９ａには、図６に示す禁止設定テーブルを記憶している。コピー、ＦＡＸ受信プリント、ＰＣプリントの各々の禁止の有無を設定記憶している。「１」は禁止の設定がなされており、「０」は禁止の設定がなされていないことを示している。禁止設定は、操作部５の禁止設定キー５ａを押下して、禁止設定モードを選択して行う。
【００１４】
この実施形態複合機の禁止設定処理を図２に示すフロー図を参照して説明する。ステップＳＴ１において、禁止設定キー５ａが押下されたか否か判定する。使用者が操作部５の禁止設定キー５ａを押下すると、ステップＳＴ２へ移行する。ステップＳＴ２においては、図６に示すテーブルを表示部６に表示する。使用者がコピーを禁止設定したい場合には、コピーの設定欄に操作部５のテンキー５ｃにより「１」を置数する。次に、ステップＳＴ３へ移行する。ステップＳＴ３においては、ＦＡＸ受信プリント禁止の有無を判定する。使用者が、例えばＦＡＸ受信プリントの禁止設定を望まない場合には、ＦＡＸ受信プリントの設定欄に、テンキー５ｃにより「０」を置数する。続いて、ステップＳＴ４へ移行する。ステップＳＴ４においては、ＰＣプリント禁止の有無を設定する。使用者が、例えばＰＣプリントの禁止を望まない場合には、ＰＣプリントの設定欄に、テンキー５ｃにより「０」を置数する。次に、ステップＳＴ５へ移行する。ステップＳＴ５においては、禁止設定キー５ａが再度押下されると、禁止設定情報が禁止設定メモリ９ａに登録され、設定が終了する。設定変更する場合には、図２に示す処理を繰り返す。
【００１５】
次に、この実施形態複合機のコピー時の処理動作を図３に示すフロー図を参照して説明する。ステップＳＴ１１において、原稿を画像読取部５にセットして、操作部５のコピースタートキー５ｂを押下する。次に、ステップＳＴ１２へ移行する。ステップＳＴ１２においては、禁止設定メモリ９ａのコピーの設定を読み出す。続いて、ステップＳＴ１３へ移行する。ステップＳＴ１３においては、読み出した禁止設定内容より、コピー禁止か否か判定する。コピー禁止の設定がなされている場合は、ステップＳＴ１４へ移行する。一方、コピー禁止の設定がなされていない場合は、ステップＳＴ１５へ移行する。ステップＳＴ１４においては、表示部６に、コピー禁止中のメッセージを表示し、処理を終了する。ステップＳＴ１５においては、画像読取部５で読み取りを開始し、コピーを実行する。
【００１６】
次に、この実施形態複合機のＦＡＸ受信時の処理動作を図４に示すフロー図を参照して説明する。ステップＳＴ２１において、回線１５、ＮＣＵ２、ＭＯＤＥＭ３を経て、ＦＡＸ受信すると、次に、ステップＳＴ２２へ移行する。ステップＳＴ２２においては、禁止設定メモリ９ａのＦＡＸ受信プリントの設定を読み出す。続いて、ステップＳＴ２３へ移行する。ステップＳＴ２３においては、読み出した禁止設定内容より、ＦＡＸ受信プリント禁止か否か判定する。ＦＡＸ受信プリント禁止の設定がなされている場合は、ステップＳＴ２４へ移行する。この場合、受信画像データは画像メモリ１０に格納するが、プリントは禁止される。一方、ＦＡＸ受信プリント禁止の設定がなされていない場合は、ステップＳＴ２５へ移行する。ステップＳＴ２４においては、表示部６に、ＦＡＸ受信原稿プリント禁止中のメッセージを表示し、処理を終了する。ステップＳＴ２５においては、ＦＡＸ受信した原稿のプリントをプリンタ１２で実行する。
【００１７】
更に、この実施形態複合機のＰＣプリント時の処理動作を図５に示すフロー図を参照して説明する。ステップＳＴ３１において、外部のＰＣ１４より、ＬＡＮ１３、ＬＡＮＩ／Ｆ７を経て、ＰＣプリントデータを受信すると、次に、ステップＳＴ３２へ移行する。ステップＳＴ３２においては、禁止設定メモリ９ａのＰＣプリントの設定を読み出す。続いて、ステップＳＴ３３へ移行する。ステップＳＴ３３においては、読み出した禁止設定内容より、ＰＣプリント禁止か否か判定する。ＰＣプリント禁止の設定がなされている場合は、ステップＳＴ３４へ移行する。一方、ＰＣプリント禁止の設定がなされていない場合は、ステップＳＴ３５へ移行する。ステップＳＴ３４においては、表示部６に、ＰＣプリント禁止中のメッセージを表示し、処理を終了する。ステップＳＴ３５においては、ＰＣ１４からのデータのプリントをプリンタ１２で実行する。
【００１８】
【発明の効果】
この発明によれば、原稿読取部と、外部の通信装置と接続する通信回線接続部と、外部のコンピュータと接続する外部コンピュータ接続部と、原稿読取部で読み取った原稿のコピー、通信回線接続部より受信した画像の受信プリント、及び外部コンピュータからのデータをプリントが可能な画像記録部と、前記コピー、前記受信プリント、前記外部コンピュータからのデータプリントについて各々禁止設定が可能な制御部と、を備えているので、自装置でコピー、ＦＡＸ受信プリント、ＰＣプリントの禁止を個別に設定でき、活用の状況に応じた管理を行うことができる。
【図面の簡単な説明】
【図１】この発明の一実施形態である複合機の構成を示すブロック図である。
【図２】同実施形態複合機の禁止設定処理を説明するためのフロー図である。
【図３】同実施形態複合機のコピー時の処理動作を説明するフロー図である。
【図４】同実施形態複合機のＦＡＸ受信プリントの処理動作を説明するフロー図である。
【図５】同実施形態複合機のＰＣプリントの処理動作を説明するフロー図である。
【図６】同実施形態複合機の禁止設定メモリの記憶内容を示す図である。
【符号の説明】
１　　　　ＣＰＵ
２　　　　ＮＣＵ
３　　　　ＭＯＤＥＭ
４　　　　画像処理部
５　　　　操作部
５ａ　　　禁止設定キー
５ｂ　　　コピースタートキー
５ｃ　　　テンキー
６　　　　表示部
７　　　　ＬＡＮＩ／Ｆ
８　　　　ＲＯＭ
９　　　　ＲＡＭ
９ａ　　　禁止設定メモリ
１０　　　画像メモリ
１１　　　ＣＯＤＥＣ
１２　　　プリンタ
１３　　　ＬＡＮ
１４　　　外部ＰＣ
１５　　　回線
【図１】
2004088274.tif 000003
【図２】
2004088274.tif 000004
【図３】
2004088274.tif 000005
【図４】
2004088274.tif 000006
【図５】
2004088274.tif 000007
【図６】
2004088274.tif 000008